(57)【要約】【課題】補助ばね片に外力が直接作用することを防ぐ。【解決手段】本発明の端子金具２０は、角筒状をなす本体部３０と、この本体部３０の内部に設けられ、相手側端子に対して弾性的に接触する主ばね片３１と、本体部３０の内部に設けられ、主ばね片３１に対して相手側端子とは反対側から当接可能な補助ばね片３５とを備え、本体部３０は、底壁３０Ａと、この底壁３０Ａの両側縁から対向状態で延出された一対の側壁３０Ｂ、３０Ｃと、底壁３０Ａと対向状態で配された天井壁３０Ｄ、３０Ｅとを備えて構成されており、補助ばね片３５は、底壁３０Ａから片持ち状に延びており、側壁３０Ｂ、３０Ｃにおける底壁３０Ａ側の端部には、補助ばね片３５を側方から覆う保護壁３６が形成されており、保護壁３６において一括ゴム栓５０の孔５１の内壁５２と接触可能な外面には、面取り部３７が形成されている。【選択図】図１０
2015095395.tif 000002
【特許請求の範囲】
【請求項１】
ゴム栓の孔に挿入される端子金具であって、
角筒状をなす本体部と、
この本体部の内部に設けられ、相手側端子に対して弾性的に接触する主ばね片と、
前記本体部の内部に設けられ、前記主ばね片に対して前記相手側端子とは反対側から当接可能な補助ばね片とを備え、
前記本体部は、底壁と、この底壁の両側縁から対向状態で延出された一対の側壁と、前記底壁と対向状態で配された天井壁とを備えて構成されており、
前記補助ばね片は、前記底壁から片持ち状に延びており、前記側壁における前記底壁側の端部には、前記補助ばね片を側方から覆う保護壁が形成されており、前記保護壁において前記ゴム栓の孔の内壁と接触可能な外面には、面取り部が形成されていることを特徴とする端子金具。
【請求項２】
前記面取り部は、前記保護壁の先端部における角部を叩くことで形成された第１テーパ面を備えることを特徴とする請求項１に記載の端子金具。
【請求項３】
前記面取り部は、前記保護壁の基端部を曲げることで前記第１テーパ面に連なって形成された第２テーパ面を備えることを特徴とする請求項１または請求項２に記載の端子金具。
【請求項４】
前記保護壁の前後両側には、同保護壁の先端部から基端部にかけてスリットがそれぞれ形成されていることを特徴とする請求項３に記載の端子金具。
【請求項５】
前記主ばね片は、前記底壁の前縁から前方へ略円弧状に延出されて反転する反転部と、前記反転部の延出端から後方へ延出されて前記相手側端子との接点部を有する舌片部とを備えて構成され、前記側壁の前端側における前記底壁側の端部には、前記反転部を側方から覆う覆い壁が形成され、この覆い壁は、前記保護壁と前後方向に揃う形状とされていることを特徴とする請求項１ないし請求項４のいずれか一項に記載の端子金具。
【発明の詳細な説明】
【技術分野】
【０００１】
本発明は、ゴム栓の孔に挿入される端子金具に関する。
【背景技術】
【０００２】
この種の端子金具として、下記特許文献１に記載のものが知られている。この端子金具は、相手側端子が挿入される角筒部を備え、この角筒部の内部には、相手側端子に対して弾性的に接触する主ばね片が設けられており、この主ばね片の下方には、補助ばね片が設けられている。補助ばね片の先端部には、ストッパ片が側方に張り出して形成されており、角筒部の両側壁には、補助ばね片に異物が突き当たったときにストッパ片を受けて補助ばね片の過度撓みを防止する受け部が形成されている。
【先行技術文献】
【特許文献】
【０００３】
【特許文献１】特許第４３８５９２３号公報
【発明の概要】
【発明が解決しようとする課題】
【０００４】
しかしながら、上記の端子金具では、異物に対する補助ばね片の過度撓みは防止されているものの、補助ばね片が角筒部の外方に露出しているため、端子金具をゴム栓の孔に挿入する際に、ゴム栓の孔の内壁からの反力が補助ばね片に直接作用して変形するなどのおそれがある。
【０００５】
本発明は上記のような事情に基づいて完成されたものであって、補助ばね片に外力が直接作用することを防ぐことを目的とする。
【課題を解決するための手段】
【０００６】
本発明は、ゴム栓の孔に挿入される端子金具であって、角筒状をなす本体部と、この本体部の内部に設けられ、相手側端子に対して弾性的に接触する主ばね片と、本体部の内部に設けられ、主ばね片に対して相手側端子とは反対側から当接可能な補助ばね片とを備え、本体部は、底壁と、この底壁の両側縁から対向状態で延出された一対の側壁と、底壁と対向状態で配された天井壁とを備えて構成されており、補助ばね片は、底壁から片持ち状に延びており、側壁における底壁側の端部には、補助ばね片を側方から覆う保護壁が形成されており、保護壁においてゴム栓の孔の内壁と接触可能な外面には、面取り部が形成されている構成としたところに特徴を有する。
【０００７】
このような構成によると、端子金具をゴム栓の孔に挿入する際に、孔の内壁が保護壁に直接作用し、補助ばね片に作用することはないため、補助ばね片が変形することはない。また、保護壁には、面取り部が形成されているため、孔の内壁が保護壁に直接作用しても、ゴム栓が保護壁によって傷付くことはない。
【０００８】
本発明の実施の態様として、以下の構成が好ましい。
面取り部は、保護壁の先端部における角部を叩くことで形成された第１テーパ面を備える構成としてもよい。
このような構成によると、第１テーパ面によってゴム栓の傷付きを防止できる。
【０００９】
面取り部は、保護壁の基端部を曲げることで第１テーパ面に連なって形成された第２テーパ面を備える構成としてもよい。
このような構成によると、第１テーパ面に加えて第２テーパ面によってもゴム栓の傷付きを防止できる。また、第１テーパ面と第２テーパ面によって丸みを帯びた保護壁を形成しやすくなり、ゴム栓への傷付きをより防止しやすくなる。
【００１０】
保護壁の前後両側には、同保護壁の先端部から基端部にかけてスリットがそれぞれ形成されている構成としてもよい。
このような構成によると、前後一対のスリットの間に保護壁が配されるため、保護壁の曲げ加工が容易になる。すなわち、曲げ領域の狭い小型端子であっても無理なく曲げ加工が可能であり、曲げ加工に伴う余肉等の発生を抑制することができる。
【００１１】
主ばね片は、底壁の前縁から前方へ略円弧状に延出されて反転する反転部と、反転部の延出端から後方へ延出されて相手側端子との接点部を有する舌片部とを備えて構成され、側壁の前端側における底壁側の端部には、反転部を側方から覆う覆い壁が形成され、この覆い壁は、保護壁と前後方向に揃う形状とされている構成としてもよい。
このような構成によると、端子金具をゴム栓の孔に挿入する際に、孔の内壁が覆い壁に直接作用し、主ばね片に作用することはないため、主ばね片が変形することはない。また、覆い壁と保護壁を同時に形成することができるため、覆い壁の成形工程を追加しなくてもよい。
【発明の効果】
【００１２】
本発明によれば、補助ばね片に外力が直接作用することを防ぐことができる。
【図面の簡単な説明】
【００１３】
【図１】実施形態の端子金具付き電線を示した斜視図
【図２】端子金具付き電線の平面図
【図３】端子金具付き電線の側面図
【図４】端子金具付き電線の正面図
【図５】端子金具付き電線を一括ゴム栓に挿入する様子を示した斜視図
【図６】端子金具の平面図
【図７】端子金具の側面図
【図８】端子金具の正面図
【図９】端子金具の背面図
【図１０】図７におけるＡ−Ａ線断面図
【発明を実施するための形態】
【００１４】
＜実施形態＞
本発明の実施形態を図１ないし図１０の図面を参照しながら説明する。本実施形態における端子金具付き電線１０は、図１に示すように、電線Ｗと、この電線Ｗの端末に接続された端子金具２０とを備えて構成されている。電線Ｗは、複数の金属素線を束ねてなる芯線Ｗ１と、この芯線Ｗ１を覆う絶縁被覆Ｗ２とからなる。端子金具２０は、角筒状をなして前後方向に延びる本体部３０と、この本体部３０の後方に配されたバレル部４０とを備えて構成されている。
【００１５】
バレル部４０は、芯線Ｗ１に圧着されるワイヤバレル４１と、絶縁被覆Ｗ２に圧着されるインシュレーションバレル４２とを備えている。ワイヤバレル４１は一対のワイヤバレル片４１Ａを有し、これらのワイヤバレル片４１Ａの先端部を芯線Ｗ１の内部に食い込ませるようにして圧着されている。一方、インシュレーションバレル４２は一対のインシュレーションバレル片４２Ａを有し、これらのインシュレーションバレル片４２Ａを絶縁被覆Ｗ２に両側から巻き付けるようにして圧着されている。
【００１６】
本体部３０は、底壁３０Ａと、この底壁３０Ａの両側縁から対向状態で延出された一対の側壁において、本体部３０の後側から見て左側に位置する側壁（以下「左側壁」という。）３０Ｂと、右側に位置する側壁（以下「右側壁」いう。）３０Ｃとを有している。また、本体部３０は、左側壁３０Ｂの延出端から右側に位置する右側壁３０Ｃに向けて延出された内側天井壁３０Ｄと、右側壁３０Ｃの延出端から内側天井壁３０Ｄの外面に沿って左側壁３０Ｂに向けて延出された外側天井壁３０Ｅとをさらに備えて構成されている。内側天井壁３０Ｄは、底壁３０Ａと対向状態で配されている。なお、本体部３０の上面後端部には、端子金具２０をハウジングのキャビティへ挿入する際の動作を案内するスタビライザ３０Ｆが形成されている。
【００１７】
また、図６ないし図８に示すように、スタビライザ３０Ｆの前縁にはテーパ面３０Ｇが形成されている。ここで、スタビライザ３０Ｆの前縁は、図５に示す一括ゴム栓５０の孔５１に本体部３０を後方から挿入する際に、孔５１の内壁５２と接触する接触縁となる。さらに、テーパ面３０Ｇは、図６に示すように、スタビライザ３０Ｆの前縁から空隙Ｏの前縁に亘って略Ｕ字状に連続して形成されている。このため、スタビライザ３０Ｆのうち外側天井壁３０Ｅの上面から上方に突出した部分においては、テーパ面３０Ｇが全域に亘って形成されている。
【００１８】
図６に示すように、本体部３０には、外側天井壁３０Ｅの一部を切り欠くことで内側天井壁３０Ｄの外面を露出させる切欠部３３が形成されており、この切欠部３３において受け部３３Ａの一部が外部に臨んでいる。また、切欠部３３の前縁には、Ｖ字状をなして後方に開口した係止部３３Ｂが形成されている。この係止部３３Ｂは、図７に示すように、後方に向けて高くなる形態とされ、その後端開口縁は、アンダーカット状とされている。図示しないランスが係止部３３Ｂに後方から係止することにより、端子金具２０がハウジング内に保持されるようになっている。
【００１９】
図７に示すように、本体部３０の内部には、底壁３０Ａの前縁から後方に延出された主ばね片３１が形成されている。この主ばね片３１は、底壁３０Ａの前縁から前方へ略円弧状に延出されて反転する反転部３１Ａと、反転部３１Ａの延出端から後方へ延出された舌片部３１Ｂとを備えて構成されている。
【００２０】
主ばね片３１の舌片部３１Ｂには、図示しない相手側端子との接点部３２が叩き出しによって上方に突出して形成されている。一方、内側天井壁３０Ｄには、図８に示すように、受け部３３Ａが叩き出しによって下方に突出して形成されている。相手側端子が本体部３０内に前方から嵌合すると、相手側端子に押されて主ばね片３１が下方に撓み変形し、接点部３２と受け部３３Ａの間に相手側端子が挟持された状態となって、相手側端子と端子金具２０が導通可能に接続される。なお、左右の側壁３０Ｂ、３０Ｃの前端側における底壁３０Ａ側の端部には、反転部３１Ａを側方から覆う覆い壁３４が形成されている。
【００２１】
また、図７に示すように、底壁３０Ａには、過度撓み防止部３８が形成されており、この過度撓み防止部３８は、接点部３２の下方に配されている。さらに、過度撓み防止部３８は、底壁３０Ａから叩き出しによって上方に突出して形成されている。主ばね片３１が下方に過度に撓み変形しようとした場合、主ばね片３１が過度撓み防止部３８に上方から当接することで主ばね片３１の過度撓みが防止される。
【００２２】
さて、図９に示すように、主ばね片３１の下方には、主ばね片３１のばね弾性を強化する補助ばね片３５が設けられている。この補助ばね片３５は、図７に示すように、底壁３０Ａから切り出されて前方へ片持ち状に延びている。補助ばね片３５の先端部は、主ばね片３１の先端部の下方に配されている。主ばね片３１が下方に撓み変形すると、主ばね片３１の先端部が補助ばね片３５の先端部に当接して両ばね片３１、３５が同時に撓み変形することになるため、相手側端子に対する接圧が補助ばね片３５による接圧分だけ強くなる。また、左右の側壁３０Ｂ、３０Ｃにおける底壁３０Ａ側の端部には、補助ばね片３５を側方から覆う保護壁３６が形成されている。覆い壁３４は、保護壁３６と前後方向に揃う形状とされているため、覆い壁３４と保護壁３６を同時に成形することができる。
【００２３】
図１０に示すように、保護壁３６において一括ゴム栓５０の孔５１の内壁５２と接触可能な外面には、面取り部３７が形成されている。この面取り部３７は、保護壁３６の先端部３６Ａの角部を叩くことで形成された第１テーパ面３７Ａと、保護壁３６の基端部３６Ｂを曲げることで第１テーパ面３７Ａの上方に連なって形成された第２テーパ面３７Ｂとを備える。図７に示すように、保護壁３６の前後両側には、同保護壁３６の先端部３６Ａから基端部３６ＢにかけてスリットＳがそれぞれ形成されている。また、覆い壁３４の後側にも、同覆い壁３４の先端部３４Ａから基端部３４ＢにかけてスリットＳが形成されている。これら３つのスリットＳはいずれも同一形状とされている。
【００２４】
本実施形態は以上のような構成であって、続いてその作用を説明する。図５に示すように、端子金具２０を一括ゴム栓５０の孔５１に後方から挿入すると、孔５１が本体部３０によって拡開変形させられ、このとき、本体部３０は変形した孔５１の内壁５２から反力を受けることになる。まず、本体部３０の前端が孔５１の入口部分で反力を受けることになる。このとき、覆い壁３４によって主ばね片３１の反転部３１Ａが保護される。また、覆い壁３４の外面がＣ面形状とされているため、一括ゴム栓５０を傷付けることがない。
【００２５】
そして、さらに本体部３０の挿入が進むと、補助ばね片３５の位置で孔５１の内壁５２から反力を受けることになる。このときも同様であって、保護壁３６によって補助ばね片３５が保護されているため、補助ばね片３５に直接外力が作用することはなく、補助ばね片３５の変形を防止することができる。また、保護壁３６の外面が第１テーパ面３７Ａと第２テーパ面３７ＢとによってＣ面形状の面取り部３７として構成されているため、一括ゴム栓５０を傷付けることがない。
【００２６】
その後、スタビライザ３０Ｆが孔５１の孔縁部に差し掛かると、スタビライザ３０Ｆが孔５１をさらに拡開変形させることになるため、スタビライザ３０Ｆは孔５１の内壁５２からさらに強い反力を受けることになるものの、テーパ面３０Ｇによって一括ゴム栓５０への傷付きは防止される。
【００２７】
以上のように本実施形態では、端子金具２０を一括ゴム栓５０の孔５１に挿入する際に、孔５１の内壁５２が保護壁３６に直接作用し、補助ばね片３５に作用することはないため、補助ばね片３５が変形することはない。また、保護壁３６には、面取り部３７が形成されているため、孔５１の内壁５２が保護壁３６に直接作用しても、一括ゴム栓５０が保護壁３６によって傷付くことはない。
【００２８】
面取り部３７は、保護壁３６の先端部３６Ａにおける角部を叩くことで形成された第１テーパ面３７Ａを備える構成としてもよい。このような構成によると、第１テーパ面３７Ａによって一括ゴム栓５０の傷付きを防止できる。
【００２９】
面取り部３７は、保護壁３６の基端部３６Ｂを曲げることで第１テーパ面３７Ａに連なって形成された第２テーパ面３７Ｂを備える構成としてもよい。このような構成によると、第１テーパ面３７Ａに加えて第２テーパ面３７Ｂによっても一括ゴム栓５０の傷付きを防止できる。また、第１テーパ面３７Ａと第２テーパ面３７Ｂによって丸みを帯びた保護壁３６を形成しやすくなり、一括ゴム栓５０への傷付きをより防止しやすくなる。
【００３０】
保護壁３６の前後両側には、同保護壁３６の先端部３６Ａから基端部３６ＢにかけてスリットＳがそれぞれ形成されている構成としてもよい。このような構成によると、前後一対のスリットＳの間に保護壁３６が配されるため、保護壁３６の曲げ加工が容易になる。すなわち、曲げ領域の狭い小型端子であっても無理なく曲げ加工が可能であり、曲げ加工に伴う余肉等の発生を抑制することができる。
【００３１】
主ばね片３１は、底壁３０Ａの前縁から前方へ略円弧状に延出されて反転する反転部３１Ａと、反転部３１Ａの延出端から後方へ延出されて相手側端子との接点部３２を有する舌片部３１Ｂとを備えて構成され、側壁３０Ｂ、３０Ｃの前端側における底壁３０Ａ側の端部には、反転部３１Ａを側方から覆う覆い壁３４が形成され、この覆い壁３４は、保護壁３６と前後方向に揃う形状とされている構成としてもよい。このような構成によると、端子金具２０を一括ゴム栓５０の孔５１に挿入する際に、孔５１の内壁５２が覆い壁３４に直接作用し、主ばね片３１に作用することはないため、主ばね片３１が変形することはない。また、端子金具２０の製造時において覆い壁３４と保護壁３６を同時に形成することができるため、覆い壁３４の成形工程を追加しなくてもよい。
【００３２】
＜他の実施形態＞
本発明は上記記述及び図面によって説明した実施形態に限定されるものではなく、例えば次のような実施形態も本発明の技術的範囲に含まれる。
（１）上記実施形態では第１テーパ面３７Ａと第２テーパ面３７Ｂの双方を備えた面取り部３７を例示しているものの、本発明によると、いずれか一方のテーパ面のみを備えた面取り部としてもよい。また、面取り部のＣ面形状は円弧状に形成されているものとしてもよい。
【００３３】
（２）上記実施形態では前後一対のスリットＳの間に保護壁３６を形成しているものの、本発明によると、スリットの位置や本数は問わない。また、スリットを必ずしも設けなくてもよく、比較的大きめの端子金具の場合には、叩き出しによって保護壁を形成してもよい。
【００３４】
（３）上記実施形態では覆い壁３４と保護壁３６が前後方向に揃う形状としているものの、本発明によると、保護壁３６よりも本体部３０の内部側に曲げられた覆い壁としてもよい。
【００３５】
（４）上記実施形態では内側天井壁３０Ｄと外側天井壁３０Ｅからなる二枚重ね状の天井壁を例示しているものの、本発明によると、一枚の天井壁としてもよい。
【符号の説明】
【００３６】
１０…端子金具付き電線
２０…端子金具
３０…本体部
３０Ａ…底壁
３０Ｂ…左側壁
３０Ｃ…右側壁
３０Ｄ…内側天井壁
３０Ｅ…外側天井壁
３１…主ばね片
３１Ａ…反転部
３４…覆い壁
３５…補助ばね片
３６…保護壁
３６Ａ…先端部
３６Ｂ…基端部
３７…面取り部
３７Ａ…第１テーパ面
３７Ｂ…第２テーパ面
３８…過度撓み防止部
５０…一括ゴム栓
５１…孔
５２…内壁
Ｓ…スリット
【図１】
2015095395.tif 000003
【図２】
2015095395.tif 000004
【図３】
2015095395.tif 000005
【図４】
2015095395.tif 000006
【図５】
2015095395.tif 000007
【図６】
2015095395.tif 000008
【図７】
2015095395.tif 000009
【図８】
2015095395.tif 000010
【図９】
2015095395.tif 000011
【図１０】
2015095395.tif 000012